(57)【要約】      （修正有）【課題】冷感剤を有する吸収性物品であって、着用者が冷たさを早く感じ易い吸収性物品を提供する。【解決手段】吸収性物品１は、冷感剤を有する。吸収性物品１は、吸収体２０と、吸収体２０よりも肌面側に配置されているトップシート３０と、を備える。吸収性物品１は、トップシート３０側から緑色に視認可能である着色領域ＣＲを有する。【選択図】図１
0003218590.tif 000002
【実用新案登録請求の範囲】
【請求項１】
冷感剤を有する吸収性物品であって、
前後方向と、前記前後方向に直交する幅方向と、前記前後方向及び前記幅方向に直交する厚さ方向と、
吸収体と、
前記吸収体よりも肌面側に配置されているトップシートと、を備え、
前記トップシート側から緑色に視認可能である着色領域を有する吸収性物品。
【請求項２】
前記着色領域は、着用者の肌に対向する前記トップシートに設けられた着色部である、請求項１に記載の吸収性物品。
【請求項３】
前記着色領域は、着用者の肌に対向する前記トップシートよりも非肌面側に設けられた着色部である請求項１に記載の吸収性物品。
【請求項４】
少なくとも前記トップシートと前記着色部とが前記厚さ方向に圧縮された圧搾部を有し、
前記厚さ方向の平面視において、前記着色領域には、前記圧搾部と前記厚さ方向に圧縮されていない非圧搾部とが配置されている請求項２又は３に記載の吸収性物品。
【請求項５】
前記吸収性物品は、包装シートにより個別に包装されており、
前記包装シートを開封する前において、前記包装シートを介して前記着色領域を視認可能である請求項１から４のいずれか１項に記載の吸収性物品。
【請求項６】
前記吸収体よりも非肌面側に配置されているバックシートを備え、
前記バックシート側から前記着色領域を視認可能である請求項１から５のいずれか１項に記載の吸収性物品。
【請求項７】
前記吸収性物品には、冷感を想起可能である文字、色又はデザインの少なくともいずれかからなる想起情報が表示されており、
前記想起情報を前記トップシート側、又は前記吸収体よりも非肌面側に配置されているバックシート側の少なくとも一方から視認可能である請求項１から６のいずれか１項に記載の吸収性物品。
【請求項８】
前記想起情報を構成する前記色は、前記着色領域が視認される前記緑色と異なる色である請求項７に記載の吸収性物品。
【請求項９】
前記吸収性物品は、包装シートに個別に包装されており、
前記包装シートには、冷感を想起可能である文字、色又はデザインの少なくとも一方からなる包装想起情報が表示されており、
前記包装シートを開封する前において、前記包装想起情報を視認可能である請求項１から８のいずれか１項に記載の吸収性物品。
【請求項１０】
前記着色領域の周囲の領域であり、かつ前記トップシート側から視認可能である周囲領域を有し、
前記厚さ方向の平面視において、前記着色領域と前記周囲領域との色差は、２以上である請求項１から９のいずれか１項に記載の吸収性物品。
【請求項１１】
前記着色領域は、前記吸収性物品を構成する部材に設けられた着色部であり、
前記部材の全ての領域に着色部が設けられている請求項１から１０のいずれか１項に記載の吸収性物品。
【請求項１２】
前記吸収性物品は、包装シートに個別に包装されており、
前記包装シートには、前記緑色を想起可能である文字、色又はデザインの少なくともいずれかからなる緑想起情報が表示されており、
前記包装シートを開封する前において、前記緑想起情報を視認可能である請求項１から１１のいずれか１項に記載の吸収性物品。
【考案の詳細な説明】
【技術分野】
【０００１】
本考案は、吸収性物品に関する。
【背景技術】
【０００２】
特許文献１では、冷感剤を有する吸収性物品が開示されている。冷感剤には、例えば、皮膚の神経にある受容体活性化チャネル（ＴＲＰＭ８）に作用するものや、気化熱により周囲の温度を下げるものがある。着用者が吸収性物品を着用することで、このような冷感剤を、着用者の肌に触れさせることができる。これにより、着用者は、冷たさを感じることができる。
【先行技術文献】
【特許文献】
【０００３】
【特許文献１】特表２００４−５２８０９０号公報
【考案の概要】
【考案が解決しようとする課題】
【０００４】
しかしながら、冷感剤が、皮膚の神経にある受容体活性化チャネル（ＴＲＰＭ８）に作用するものである場合、着用者の肌に直接触れるまでは、着用者に冷たさを感じさせることができない。また、冷感剤が、気化熱を利用するものである場合、冷感剤が皮膚から熱を奪うことによって、着用者が冷たさを感じることができる。従って、着用者は、吸収性物品を着用してから、冷感剤が実際に肌に触れるまでの間は、冷たさを感じ難いという問題がある。
【０００５】
そこで、冷感剤を有する吸収性であって、着用者が冷たさを早く感じ易い吸収性物品が望まれている。
【課題を解決するための手段】
【０００６】
本開示に係る吸収性物品は、冷感剤を有する。当該吸収性物品は、前後方向と、前記前後方向に直交する幅方向と、前記前後方向及び前記幅方向に直交する厚さ方向と、吸収体と、前記吸収体よりも肌面側に配置されているトップシートと、を備える。前記トップシート側から緑色に視認可能である着色領域を有する。
【図面の簡単な説明】
【０００７】
【図１】実施形態に係る吸収性物品を肌面側から見た平面図である。
【図２】図１に示すＡ−Ａ線に沿った断面図である。
【図３】実施形態に係る吸収性物品を肌面側から見た平面図である。
【図４】実施形態に係る包装状態における包装体の平面図である。
【考案を実施するための形態】
【０００８】
（１）実施形態の概要
本明細書及び添付図面の記載により、少なくとも以下の事項が明らかとなる。
【０００９】
一態様に係る吸収性物品は、冷感剤を有する。当該吸収性物品は、前後方向と、前記前後方向に直交する幅方向と、前記前後方向及び前記幅方向に直交する厚さ方向と、吸収体と、前記吸収体よりも肌面側に配置されているトップシートと、を備える。前記トップシート側から緑色に視認可能である着色領域を有する。
【００１０】
緑色は、ミントの葉に代表されるように涼感を想起させることができる色であるため、着用者が着色領域を視認することで、着用者に対して、涼感を想起させることができる。これにより、着用者は、吸収性物品が涼感を与えるものであることを認識するため、着用者の意識を吸収性物品に当接する肌へ向けさせ易くなる。着用者の意識により肌の感覚を敏感にすることができるため、無意識の場合と比べて、冷感剤による冷たさをすぐに感じることができる。
【００１１】
また、脳内でイメージされたことは、人間の感覚に対して影響を与えることが可能である。このため、着用者が吸収性物品を装着する前に、着用者に対して涼感を想起させることで、着用者に対して、着用前から冷たさを感じさせ易くすることができる。
【００１２】
さらに、緑色は、自然界で良く見られる色であり、天然の印象を与えたり、清潔感を与えたりする色であるため、トップシート側から着色領域が視認されても、着用者に不快感を与えることを抑制できる。
【００１３】
好ましい一態様によれば、前記着色領域は、着用者の肌に対向する前記トップシートに設けられた着色部である。トップシートに着色部が設けられているため、着用者は、着色部を直接視認することができ、着色領域を視認し易い。これにより、着用者に対して冷感をより想起させることができる。
【００１４】
好ましい一態様によれば、前記着色領域は、着用者の肌に対向する前記トップシートよりも非肌面側に設けられた着色部である。トップシートの肌面側の表面は、着用者の敏感な肌に当接する。着色部をトップシートよりも非肌面側に配置することで、着色部を着色した着色料が肌に直接接触することを抑制できるため、着用者に安心感を与えながら、着用者に冷たさを感じさせ易くできる。
【００１５】
好ましい一態様によれば、吸収性物品は、少なくとも前記トップシートと前記着色部とが前記厚さ方向に圧縮された圧搾部を有する。前記厚さ方向の平面視において、前記着色領域には、前記圧搾部と前記厚さ方向に圧縮されていない非圧搾部とが配置されている。圧搾部は、圧縮されているため、非圧搾部における着色領域は、圧搾部における着色領域よりも肌面側に位置する。これにより、着用者は、着色領域を立体的に視認することができ、着用者が着色領域をより視認し易くなる。
【００１６】
好ましい一態様によれば、前記吸収性物品は、包装シートにより個別に包装されている。前記包装シートを開封する前において、前記包装シートを介して前記着色領域を視認可能である。着用者が包装を開封する前から、着用者に対して冷感を想起させることで、着用者に対して、より早く冷たさを感じさせ易くすることができる。
【００１７】
好ましい一態様によれば、吸収性物品は、前記吸収体よりも非肌面側に配置されているバックシートを備える。前記バックシート側から前記着色領域を視認可能である。着用者は、トップシート側からだけでなく、バックシート側からも着色領域を視認可能であるため、着用者が着色領域を視認する機会が増え、着用者に対してより冷感を想起させることができる。また、吸収性物品は、廃棄時において、トップシートが内側になり、バックシートが外側になるように畳まれる。このため、着用者は、使用後も、着色領域を視認できる。これにより、着用者に対して、使用後においても冷たさを感じさせ易くすることができる。
【００１８】
好ましい一態様によれば、前記吸収性物品には、冷感を想起可能である文字、色又はデザインの少なくともいずれかからなる想起情報が表示されている。前記想起情報を前記トップシート側、又は前記吸収体よりも非肌面側に配置されているバックシート側の少なくとも一方から視認可能である。これにより、着色領域だけでなく、想起情報によっても冷感を想起させることができ、着用者に対して冷感をさらに想起させることができる。
【００１９】
好ましい一態様によれば、前記想起情報を構成する前記色は、前記着色領域が視認される前記緑色と異なる色である。想起情報の色と着色領域の色とが異なることで、着用者が想起情報及び着色領域のそれぞれを視認し易くなる。これにより、着色領域だけでなく、想起情報によっても冷感を想起させることができ、着用者に対して冷感をさらに想起させることができる。
【００２０】
好ましい一態様によれば、前記吸収性物品は、包装シートに個別に包装されている。前記包装シートには、冷感を想起可能である文字、色又はデザインの少なくとも一方からなる包装想起情報が表示されている。前記包装シートを開封する前において、前記包装想起情報を視認可能である。着用者が包装を開封する前から、着用者が包装想起情報を視認できるため、着用者に対して、より早く冷たさを感じさせ易くすることができる。
【００２１】
好ましい一態様によれば、吸収性物品は、前記着色領域の周囲の領域であり、かつ前記トップシート側から視認可能である周囲領域を有する。前記厚さ方向の平面視において、前記着色領域と前記周囲領域との色差は、２以上である。着色領域と周囲領域との色差が２以上であるため、着色領域と周囲領域との境界が目立ち、着用者が着色領域をより視認し易くなる。
【００２２】
好ましい一態様によれば、前記着色領域は、前記吸収性物品を構成する部材に設けられた着色部である。前記部材の全ての領域に着色部が設けられている。これにより、着色領域となる着色部が広い面積に存在するため、着用者が着色領域ＣＲを視認し易くなる。さらに、着色領域（着色部）の広い面積で涼感を想起させることで、着用者の意識を肌の広い範囲に向けさせ易くなるため、着用者に対して、着用前から冷たさを感じさせ易くすることができる。
【００２３】
好ましい一態様によれば、前記吸収性物品は、包装シートに個別に包装されている。前記包装シートには、前記緑色を想起可能である文字、色又はデザインの少なくともいずれかからなる緑想起情報が表示されている。前記包装シートを開封する前において、前記緑想起情報を視認可能である。これにより、着用者が包装を開封する前から、着用者が緑想起情報を視認できるため、着用者に対して、より早く涼感を想起させることができる。
【００２４】
（２）吸収性物品の概略構成
以下、図面を参照して、実施形態に係る吸収性物品の概略ついて説明する。吸収性物品は、生理用ナプキン、パンティライナー、失禁パッド、糞便パッドのような吸収性物品であってよい。吸収性物品は、下着のような着用物品の内側に取り付けられて使用される物品であってよい。本実施の形態の吸収性物品１は、生理用ナプキンである。
【００２５】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００２６】
図１は、実施形態に係る吸収性物品を肌面側から見た平面図である。図２は、図１に示すＡ−Ａ線に沿った断面図である。図３は、実施形態に係る吸収性物品を肌面側から見た平面図である。図４は、実施形態に係る包装体２００の平面図である。
【００２７】
なお、「肌面側」は、着用中（使用中）に着用者の肌に面する側に相当する。「非肌面側」は、着用中（使用中）に着用者の肌とは反対に向けられる側に相当する。
【００２８】
図１及び図２に示すように、吸収性物品１は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。吸収性物品は、肌面側Ｔ１と非肌面側Ｔ２に延びる厚さ方向Ｔを有する。
【００２９】
なお、本明細書において、外側縁は、幅方向における外側端であり、内側縁は、幅方向における内側端である。
【００３０】
図１に示すように、吸収性物品１は、中央域Ｓ３、前側域Ｓ１及び後側域Ｓ２を有する。中央域Ｓ３は、着用者の排泄口（例えば膣口）に当接する排泄口当接部を有する領域である。吸収性物品が着用物品（例えば、下着）に装着されたときに、中央域Ｓ３は、着用物品の股下部に位置する。つまり、中央域は、着用者の股下、すなわち着用者の両足の間に配置される領域である。前側域Ｓ１は、中央域Ｓ３よりも前後方向Ｌの前側に位置する。後側域Ｓ２は、中央域Ｓ３よりも前後方向Ｌの後側に位置する。前側域Ｓ１は、吸収性物品１を前後方向Ｌに３等分にすることで得られる前側の領域が、前側域Ｓ１であり、後側の領域が後側域Ｓ２であり、中央の領域が中央域Ｓ３である。
【００３１】
図１及び図２に示すように、吸収性物品１は、吸収体２０、トップシート３０を備える。吸収性物品１は、セカンドシート３５、バックシート４０、サイドシート５０、粘着部７０を備えてよい。
【００３２】
吸収体（吸収コア）２０は、液体を吸収する吸収材料を含む。吸収材料は、例えば、親水性繊維、パルプ及び高吸水性高分子（ＳＡＰ）から形成できる。吸収体２０は、コアラップ（図示せず）によって包まれていてよい。コアラップは、少なくとも吸収体２０よりも肌面側Ｔ１で吸収体２０を覆っていればよい。具体的一例として、コアラップは、吸収体２０よりも肌面側に配置されるシートと、吸収体２０よりも非肌面側に配置されるシートと、を有していてよい。吸収体２０は、コアラップによって覆われていなくてもよい。
【００３３】
吸収体２０は、少なくとも中央域Ｓ３に配置されている。吸収体コアは、中央域Ｓ３から前側域Ｓ１まで延びてもよい。吸収体コアは、中央域Ｓ３から後側域Ｓ２まで延びてもよい。
【００３４】
トップシート３０は、吸収体２０よりも肌面側に配置される。トップシート３０は、着用時に着用者の肌に対向し、肌対向面を有する。
【００３５】
トップシート３０は、液透過性を有する。トップシート３０は、不織布、織布、有孔プラスチックシート、メッシュシート等、液体を透過する構造を有する任意のシート状の材料から構成されてよい。織布や不織布の素材としては、天然繊維、化学繊維のいずれも使用できる。
【００３６】
セカンドシート３５は、液透過性を有する。セカンドシート３５は、吸収体２０とトップシート３０との間に配置されている。セカンドシート３５は、トップシート３０と同様の材料から構成することができる。セカンドシート３５の親水度は、トップシート３０の親水度よりも高くてもよい。
【００３７】
バックシート４０は、吸収体２０よりも非肌面側Ｔ２に配置されている。バックシート４０は、液不透過性を有する。バックシート４０は、ポリエチレンシート、ポリプロピレン等を主体としたラミネート不織布、通気性の樹脂フィルム、スパンボンド、又はスパンレース等の不織布に通気性の樹脂フィルムが接合されたシートなどの材料から構成されてよい。
【００３８】
サイドシート５０は、トップシート３０の外側縁を覆ってよい。サイドシート５０は、幅方向Ｗにおけるトップシート３０の外側縁を覆い、トップシート３０よりも幅方向Ｗの外側へ延びてよい。なお、吸収性物品１はサイドシート５０を有さなくてもよい。
【００３９】
サイドシート５０は、トップシート３０と同様の材料から構成することができる。ただし、トップシート３０に付着した体液が、サイドシート５０を乗り越えて、幅方向Ｗにおいて吸収性物品１の外側へ漏れ出すことを防止するためには、サイドシート５０は、疎水性又は撥水性を有してよい。サイドシート５０は、幅方向Ｗにおける吸収体２０の外側縁よりも外側に位置するウイング及びフラップ部に配置されてよい。
【００４０】
粘着部７０は、吸収性物品１を着用物品に止めるための粘着剤が設けられた領域である。粘着部７０は、バックシート４０の非肌面側Ｔ２上に配置され、かつ着用物品（例えば、下着）に吸収性物品１を固定するためのものである。
【００４１】
吸収性物品１は、冷感剤を含む冷感層１００を有する。これにより、吸収性物品１は、冷感剤を有する。
【００４２】
冷感剤は、例えば、皮膚の神経にある受容体活性化チャネル（ＴＲＰＭ８）に作用するものであってよい。このような冷感剤として、例えば、メントール（例えば、ｌ−メントール）及びその誘導体（例えば、乳酸メンチル）、サリチル酸メチル、カンファー、キュウリエキス、植物（例えば、ミント、ユーカリ、ナツメグ）由来の精油等が挙げられる。また、冷感剤は、気化熱により周囲の温度を下げるものであってもよい。このような冷感剤として、例えば、アルコール、例えば、メタノール及びエタノールが挙げられる。
【００４３】
図２に示すように、冷感層１００は、厚さ方向Ｔにおいて、トップシート３０とセカンドシート３５との間に配置されてよい。冷感層１００は、トップシート３０上に冷感剤が塗布されることにより設けられてもよい。冷感層１００は、セカンドシート３５上に冷感剤が塗布されることにより設けられてもよい。
【００４４】
吸収性物品１は、トップシート３０側から緑色に視認可能である着色領域ＣＲを有する。緑色は、ミントの葉に代表されるように涼感を想起させることができる色であるため、着用者が着色領域を視認することで、着用者に対して、涼感を想起させることができる。これにより、着用者は、吸収性物品１が涼感を与えるものであることを認識するため、着用者の意識を吸収性物品に当接する肌へ向けさせ易くなる。着用者の意識により肌の感覚を敏感にすることができるため、無意識の場合と比べて、冷感剤による冷たさをすぐに感じることができる。また、脳内でイメージされたことは、人間の感覚に対して影響を与えることが可能である。このため、着用者が吸収性物品を装着する前に、着用者に対して涼感を想起させることで、着用者に対して、着用前から冷たさを感じさせ易くすることができる。さらに、緑色は、自然界で良く見られる色であり、天然の印象を与えたり、清潔感を与えたりする色であるため、トップシート３０側から着色領域が視認されても、着用者に不快感を与えることを抑制できる。
【００４５】
緑色は、ＪＩＳ Ｚ 8729に規定されるＣＩＥ１９７６（L*a*b*）色空間において、a*赤方向の軸を０度とした場合に、９０度以上２７０度以下の色相角度ｈの範囲内の色である。従って、L*C*h色空間では、明度L*及び彩度C*は任意の値である。従って、色度a*は、０以下の値であり、明度L*及び色度b*の値は任意である。
【００４６】
なお、緑色は、１００度以上、２６０度以下の色相角度ｈの範囲の色であることが好ましい。なお、緑色は、１８０度以下の色であってよく、１３５度以下の色であってよい。本明細書で規定される緑色の例として、例えば、ＰＡＮＴＯＮＥ（登録商標）の色見本帳における３５８Ｃに該当する色が挙げられる。
【００４７】
本実施の形態では、着色領域ＣＲは、冷感層１００により構成される。従って、冷感層１００が、着色された着色部である。従って、着色部である冷感層１００は、上述の緑色に着色されてよい。なお、着色部は、上述の緑色でなくても、トップシート３０側から視認された場合に緑色に視認されればよい。
【００４８】
図２に示すように、着色領域ＣＲは、トップシート３０よりも非肌面側Ｔ２に設けられた着色部であってよい。トップシート３０の肌面側Ｔ１の表面は、着用者の敏感な肌に当接する。着色部をトップシートよりも非肌面側Ｔ２に配置することで、着色部を着色した着色料が肌に直接接触することを抑制できるため、着用者に安心感を与えながら、着用者に冷たさを感じさせ易くできる。
【００４９】
トップシート３０よりも非肌面側Ｔ２に配置される部材のいずれかが着色されることにより、トップシート３０よりも非肌面側Ｔ２に設けられた着色部が設けられてよい。着色部が設けられる部材は、吸収体２０、コアラップ、セカンドシート３５、バックシート４０、サイドシート５０の少なくともいずれかであってよい。着色部が設けられる部材では、部材の全ての領域が着色（例えば、緑色）されてもよい。これにより、着色領域ＣＲとなる着色部が広い面積に存在するため、着用者が着色領域ＣＲを視認し易くなる。さらに、着色領域ＣＲ（着色部）の広い面積で涼感を想起させることで、着用者の意識を肌の広い範囲に向けさせ易くなるため、着用者に対して、着用前から冷たさを感じさせ易くすることができる。なお、着色部が設けられる部材では、部材の一部の領域が着色（例えば、緑色）されてもよい。
【００５０】
着色領域ＣＲは、トップシート３０に設けられた着色部であってよい。従って、トップシート３０が、着色部を有してよい。トップシート３０に着色部が設けられているため、着用者は、着色部を直接視認することができ、着色領域ＣＲを視認し易い。これにより、着用者に対して冷感をより想起させることができる。トップシート３０の全てに着色部が設けられてもよい。すなわち、トップシート３０の全ての領域が緑色であってもよい。トップシート３０の一部に着色部が設けられてもよい。すなわち、トップシート３０の一部の領域が緑色であってもよい。
【００５１】
なお、複数の部材に着色部が設けられてよい。複数の部材のそれぞれに設けられた各着色部が厚さ方向Ｔに重なる領域が、緑色に視認可能である着色領域ＣＲを構成してもよい。従って、各着色部自体が、上述の緑色であってもよく、上述の緑色でなくてもよい。
【００５２】
着色部は、吸収性物品１を構成する上述の部材の表面に着色料（インク等）が塗布されることにより設けられてもよいし、当該部材に着色料を染み込ませることにより設けられてもよい。
【００５３】
吸収性物品１には、冷感を想起可能である文字又はデザインの少なくとも一方からなる想起情報５が表示されている。具体的には、吸収体２０及びトップシート３０の少なくとも一方には、想起情報５が表示されている。想起情報５は、トップシート３０側から視認可能である。
【００５４】
着用者が吸収性物品１を装着する際に、トップシート３０側から想起情報５を視認可能である。着用者が想起情報５を視認することで、着用者に対して冷感を想起させることができる。これにより、着用者は、吸収性物品１が冷感を与えるものであることを認識するため、着用者の意識を吸収性物品１に当接する肌へ向けさせ易くなる。着用者の意識により肌の感覚を敏感にすることができるため、無意識の場合と比べて、冷感剤が受容体活性化チャネルに作用すると冷たさすぐに感じることができる。また、脳内でイメージされたことは、人間の感覚に対して影響を与えることが可能である。このため、着用者が吸収性物品１を装着する前に、着用者に対して冷感を想起させることで、着用者に対して、着用前から冷たさを感じさせ易くすることができる。
【００５５】
なお、本明細書における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。
【００５６】
想起情報５は、冷感を想起可能である文字又はデザインの少なくとも一方からなる。想起情報５は、図１に示すように、雪の結晶であってよい。雪の結晶は、文字と比較すると、着用者が直感的に冷感を想起できる。これにより、着用者が冷たさを早く感じ易くすることができる。
【００５７】
冷感を想起可能である文字として、雪、海、波、アイスクリーム、氷、「ｃｏｏｌ」などが挙げられる。冷感を想起可能であるデザインとして、雪だるま、波、アイスクリーム、氷などが挙げられる。
【００５８】
吸収性物品１は、少なくともトップシート３０が厚さ方向Ｔに圧縮された圧搾部６０を有してよい。トップシート３０よりも非肌面側Ｔ２に冷感層を有するケースでは、圧搾部６０におけるトップシートの厚さは、当該圧搾部６０の周囲におけるトップシート３０よりも薄いため、冷感層１００に含まれる冷感剤が、圧搾部６０を通じてトップシート３０を通り抜け易い。これにより、冷感剤が、トップシート３０よりも肌面側Ｔ１へ移動し易くなるため、着用者が冷たさを早く感じ易くすることができる。
【００５９】
圧搾部６０は、厚さ方向Ｔにおいて冷感層１００と重なってよい。これにより、冷感剤が、圧搾部６０を通じてトップシート３０を通り抜け易くなる。なお、圧搾部６０が冷感層１００と重なっていない場合であっても、揮発した冷感剤は、吸収性物品１の内部を移動して、圧搾部６０を通じてトップシート３０を通り抜けることが可能である。また、冷感剤は、圧縮されていない非圧搾部の繊維間を通り抜けてトップシート３０の肌面側まで移動可能である。
【００６０】
図１に示すように、圧搾部６０は、想起情報５を表示する想起圧搾部６５を有してよい。従って、想起情報５は、圧搾部６０により表示されてよい。想起情報５が、圧搾部６０により表示されるため、想起情報５が立体感を有する。これにより、想起情報５を着用者に視認させ易くなる。着用者が想起情報５を視認することにより着用者に対して冷感を想起させることができるため、着用者が冷たさを早く感じ易くすることができる。
【００６１】
想起圧搾部６５は、中央域Ｓ３には配置されずに、前側域Ｓ１及び後側域Ｓ２の少なくとも一方に配置されてよい。図１に示す吸収性物品１では、想起圧搾部６５が前側域Ｓ１及び後側域Ｓ２の両方に配置されている。
【００６２】
着用者の排泄口付近の皮膚は敏感であるため、当該皮膚に冷感剤が短時間に大量に触れた場合、着用者にとって冷感剤による刺激が強すぎる可能性がある。中央域Ｓ３は、着用者の排泄口（例えば膣口）に当接するため、想起圧搾部６５を中央域Ｓ３には配置しないことで、排泄口付近の皮膚における冷感剤による刺激を抑制できる。一方で、想起圧搾部６５を前側域Ｓ１及び後側域Ｓ２の少なくとも一方に配置することで、排泄口から離れた皮膚へ冷感剤が触れ易くなる。これにより、敏感な部分への刺激を抑制しつつも、着用者が冷たさをより早く感じ易くすることができる。
【００６３】
図１及び図２に示すように、圧搾部６０は、高圧搾部６０Ｈと、高圧搾部６０Ｈよりも厚さ方向Ｔの深さが浅い低圧搾部６０Ｌとを含んでよい。高圧搾部６０Ｈにおけるトップシート３０の厚さは、低圧搾部６０Ｌにおけるトップシート３０の厚さよりも薄いため、冷感剤は、高圧搾部６０Ｈを通じてトップシート３０を通り抜けて、トップシート３０よりも肌面側Ｔ１へより移動し易くなる。これにより、着用者が冷たさをより早く感じ易くすることができる。一方で、冷感剤は、低圧搾部６０Ｌを通じてトップシート３０を通り抜けつつも、高圧搾部６０Ｈと比較するとトップシート３０を通り抜け難い。このため、圧搾部６０として高圧搾部６０Ｈのみを設ける場合と比較して、冷感効果を持続させ易くなる。
【００６４】
図１に示すように、想起圧搾部６５は、想起高圧搾部６５Ｈと、想起高圧搾部６５Ｈよりも厚さ方向Ｔの深さが浅い想起低圧搾部６５Ｌとを含んでよい。想起情報５がさらに立体感を有し、想起情報５を着用者に視認させ易くなる。
【００６５】
圧搾部６０は、トップシート３０を貫通する開口を有してよい。冷感層１００に含まれる冷感剤が、開口を通じてトップシート３０を通り抜けて、トップシート３０よりも肌面側Ｔ１へより移動し易くなる。これにより、着用者が冷たさをより早く感じ易くすることができる。
【００６６】
図３に示すように、吸収性物品１は、吸収体２０を前後方向Ｌに３等分することで得られる第１前後領域１Ｒと、第２前後領域２Ｒと、第１前後領域１Ｒと第２前後領域２Ｒに間に位置する第３前後領域３Ｒとを有してよい。
【００６７】
第１前後領域１Ｒにおける圧搾部６０の面積と、第２前後領域２Ｒにおける圧搾部６０の面積とのそれぞれは、第３前後領域における圧搾部の面積よりも大きくてよい。
【００６８】
着用者の排泄口付近の皮膚は敏感であるため、当該皮膚に冷感剤が短時間に大量に触れた場合、着用者にとって冷感剤による刺激が強すぎる可能性がある。第２前後領域２Ｒは、着用者の排泄口（例えば膣口）に当接し易いため、第３前後領域３Ｒにおける圧搾部６０の面積を小さくすることで、排泄口付近の皮膚における冷感剤による刺激を抑制できる。一方で、第１前後領域１Ｒにおける圧搾部６０の面積と第２前後領域２Ｒにおける圧搾部の面積とのそれぞれを大きくすることで、排泄口から離れた皮膚へ冷感剤が触れ易くなる。これにより、敏感な部分への刺激を抑制しつつも、着用者が冷たさをより早く感じ易くすることができる。
【００６９】
第１前後領域１Ｒは、第３前後領域３Ｒよりも前側に配置されている。第２前後領域２Ｒは、第３前後領域３Ｒよりも後側に配置されている。第１前後領域１Ｒにおける圧搾部６０の面積は、第２前後領域２Ｒにおける圧搾部の面積よりも大きくてよい。
【００７０】
第２前後領域２Ｒに位置する皮膚（すなわち、臀部における皮膚）は、一般的に、第１前後領域１Ｒに位置する皮膚よりも鈍感である。このため、第１前後領域１Ｒにおける圧搾部６０の面積を大きくすることで、臀部における皮膚よりも敏感な皮膚に多くの冷感剤を触れ易くすることができる。これにより、着用者が冷たさをより早く感じ易くすることができる。
【００７１】
吸収性物品１は、吸収体２０を幅方向Ｗに３等分することで得られる内側領域ＩＲと、内側領域ＩＲの外側に配置されている２つの外側領域ＯＲとを有してよい。２つの外側領域ＯＲのそれぞれにおける圧搾部６０の面積は、内側領域ＩＲにおける圧搾部６０の面積よりも大きくてよい。
【００７２】
着用者の排泄口付近の皮膚は敏感であるため、当該皮膚に冷感剤が短時間に大量に触れた場合、着用者にとって冷感剤による刺激が強すぎる可能性がある。内側領域ＩＲは、着用者の排泄口（例えば膣口）に当接するため、内側領域ＩＲにおける圧搾部６０の面積を小さくすることで、排泄口付近の皮膚における冷感剤による刺激を抑制できる。一方で、外側領域ＯＲにおける圧搾部６０の面積を大きくすることで、排泄口から離れた皮膚へ冷感剤が触れ易くなる。これにより、敏感な部分への刺激を抑制しつつも、着用者が冷たさをより早く感じ易くすることができる。
【００７３】
図２に示すように、吸収性物品１は、少なくともトップシート３０と着色部（図２では冷感層１００）とが厚さ方向Ｔに圧縮された圧搾部を有してよい。図１に示すように、厚さ方向Ｔの平面視において、着色領域ＣＲには、圧搾部６０と厚さ方向Ｔに圧縮されていない非圧搾部６０Ｎとが配置されてよい。圧搾部６０は、圧縮されているため、非圧搾部６０Ｎにおける着色領域ＣＲは、圧搾部６０における着色領域ＣＲよりも肌面側Ｔ１に位置する。これにより、着用者は、着色領域ＣＲを立体的に視認することができ、着用者が着色領域ＣＲをより視認し易くなる。
【００７４】
着色領域ＣＲは、バックシート４０側から視認可能であってよい。着用者は、トップシート３０側からだけでなく、バックシート４０側からも着色領域ＣＲを視認可能であるため、着用者が着色領域ＣＲを視認する機会が増え、着用者に対してより冷感を想起させることができる。また、吸収性物品１は、廃棄時において、トップシート３０が内側になり、バックシート４０が外側になるように畳まれる。このため、着用者は、使用後も、着色領域ＣＲを視認できる。これにより、着用者に対して、使用後においても冷たさを感じさせ易くすることができる。
【００７５】
吸収性物品１は、着色領域ＣＲの周囲の領域であり、かつトップシート３０側から視認可能である周囲領域ＳＲを有してよい。本実施の形態において、図２に示すように、周囲領域ＳＲは、着色領域ＣＲの周囲に位置し、着色部である冷感層１００と厚さ方向Ｔに重ならない領域である。従って、周囲領域ＣＲは、着色部（本実施の形態では、冷感層１００）の外端縁よりも幅方向Ｗ及び前後方向Ｌの外側に位置する領域である。周囲領域ＳＲは、例えば、前後方向Ｌにおいて吸収体２０の外端縁よりも外側に位置するトップシート３０の少なくとも一部であってよい。周囲領域ＳＲは、サイドシート５０の少なくとも一部であってよい。周囲領域ＳＲは、例えば、白色であってよい。
【００７６】
厚さ方向Ｔの平面視において、着色領域ＣＲと周囲領域ＳＲとの色差（ΔＥ）は、２以上であってよい。着色領域ＣＲと周囲領域ＳＲとの色差が２以上であるため、着色領域ＣＲと周囲領域ＳＲとの境界が目立ち、着用者が着色領域ＣＲをより視認し易くなる。着色領域ＣＲをより視認し易くするために、着色領域ＣＲと周囲領域ＳＲとの色差は、３．２以上であってよく、４．２以上であってよい。
【００７７】
なお、着色領域ＣＲと周囲領域ＳＲとの色差ΔＥは、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。具体的に、測定対象たる２点間のL*値の差がΔL*、a*の差がΔa*、b*値の差がΔb*であるときに、色差ΔＥ＝[(ΔL*)2＋(Δa*)2＋(Δb*)2]1/2によって求められる。
【００７８】
図４に示すように、吸収性物品１の包装体２００は、吸収性物品１と、吸収性物品１を個別に包装する包装シート２５０と、を有してよい。従って、吸収性物品１は、包装シート２５０により個別に包装されてよい。
【００７９】
包装シート２５０を開封する前において、包装シート２５０を介して着色領域ＣＲを視認可能であってよい。着用者が包装を開封する前から、着用者に対して冷感を想起させることで、着用者に対して、より早く冷たさを感じさせ易くすることができる。
【００８０】
図４に示すように、包装シート２５０には、冷感を想起可能である文字、色又はデザインの少なくとも一方からなる包装想起情報２５５が表示されてよい。包装シート２５０を開封する前において、包装想起情報２５５を視認可能であってよい。着用者が包装を開封する前から、着用者が包装想起情報２５５を視認できるため、着用者に対して、より早く冷たさを感じさせ易くすることができる。
【００８１】
包装想起情報２５５における冷感を想起可能である文字及びデザインは、想起情報５と同様のものであってよい。冷感を想起可能である色は、青色であってよい。包装想起情報２５５は、涼感を想起可能である上述の緑色であってよい。
【００８２】
包装シート２５０には、緑色を想起可能である文字、色又はデザインの少なくともいずれからなる緑想起情報が表示されてよい。包装シート２５０を開封する前において、着用者が緑想起情報を視認可能であってよい。着用者が包装を開封する前から、着用者が緑想起情報を視認できるため、着用者に対して、より早く涼感を想起させることができる。
【００８３】
緑想起情報は、葉っぱ、木、林、森、自然などの文字及び／又はデザインであってよい。緑想起情報は、冷感剤の原材料を示す文字（例えば、キュウリエキス、ミント、ユーカリ、ナツメグ、植物由来の精油など）であってよい。
【００８４】
図４に示すように、吸収性物品１は、幅方向Ｗに延びる１以上の折り目を有してよい。吸収性物品１が包装シート２５０に包装された状態である包装状態において、折り目を基点として、吸収性物品１が折り畳まれてよい。図４では、２つの折り目ＦＬ１，ＦＬ２を基点として吸収性物品１が折り畳まれている。
【００８５】
想起情報５は、前後方向Ｌの最も外側に位置する折り目ＦＬ１よりも前後方向Ｌの外側に位置してよい。これにより、想起情報５が配置されている吸収性物品１の前後方向Ｌの一方の端部が厚さ方向Ｔの外側に位置する場合、折り目ＦＬ１（又は折り目ＦＬ２）を基点に展開することで、吸収性物品１から包装シート２５０を完全に剥がす前から想起情報５を視認することができる。これにより、着用者が包装体の開封によって、着用者が想起情報５をすぐに視認できるため、着用者に対して、より早く冷たさを感じさせ易くすることができる。
【００８６】
本実施の形態では、想起情報５は、折り目ＦＬ１よりも前後方向Ｌの外側に配置されており、折り目ＦＬ２よりも前後方向Ｌの外側に配置されている。このため、包装状態において、吸収性物品１の前後方向Ｌのどちらの端部が厚さ方向Ｔの外側に位置しても、折り目を基点に展開することで想起情報５を視認することができる。
【００８７】
（３）その他実施形態
以上、上述の実施形態を用いて本考案について詳細に説明したが、当業者にとっては、本考案が本明細書中に説明した実施形態に限定されるものではないということは明らかである。本考案は、特許請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【００８８】
上述の実施形態において、冷感層１００は、トップシート３０とセカンドシート３５との間に配置されていたが、これに限られない。冷感層１００は、吸収性物品１を構成する各部材の少なくともいずれかにより構成されてもよい。例えば、吸収体２０、コアラップ、トップシート３０、セカンドシート３５、サイドシート５０の少なくともいずれかの部材が冷感剤を含むことにより、冷感層１００を構成してもよい。
【００８９】
想起情報５は、上述の実施形態のように、圧搾部６０により、吸収体２０及びトップシート３０の両方に表示されてよいし、吸収体２０にのみ表示されてもよく、トップシート３０にのみ表示されてもよい。
【００９０】
上述の実施形態では、第１前後領域１Ｒにおける圧搾部６０の面積と、第２前後領域２Ｒにおける圧搾部６０の面積とのそれぞれは、第３前後領域３Ｒにおける圧搾部６０の面積よりも大きかったが、これに限られない。第３前後領域３Ｒにおける圧搾部６０の面積は、第１前後領域１Ｒにおける圧搾部６０の面積より大きくてよく、第２前後領域２Ｒにおける圧搾部６０の面積より大きくてよい。また、第２前後領域２Ｒにおける圧搾部６０の面積は、第１前後領域１Ｒにおける圧搾部６０の面積よりも大きくてよい。
【００９１】
また、２つの外側領域ＯＲのそれぞれにおける圧搾部６０の面積は、内側領域ＩＲにおける圧搾部６０の面積よりも大きかったが、これに限られない。内側領域ＩＲにおける圧搾部６０の面積は、２つの外側領域ＯＲのそれぞれの圧搾部６０の面積より大きくてよいし、２つの外側領域ＯＲの一方の圧搾部６０の面積より大きくてよい。
【００９２】
上述の実施形態において、想起情報５は、色からなってもよい。従って、吸収性物品１（例えば、トップシート３０、バックシート４０、サイドシート５０など）は、冷感を想起可能である文字、色又はデザインの少なくともいずれかからなる想起情報５が表示されてよい。想起情報５が、をトップシート３０側、又はバックシート４０側の少なくとも一方から視認可能であってよい。これにより、着色領域ＣＲだけでなく、想起情報５によっても冷感を想起させることができ、着用者に対して冷感をさらに想起させることができる。
【００９３】
想起情報５を構成する色は、着色領域ＣＲが視認される緑色と異なる色であってよい。想起情報５の色と着色領域ＣＲの色とが異なることで、着用者が想起情報５及び着色領域ＣＲのそれぞれを視認し易くなる。これにより、着色領域ＣＲだけでなく、想起情報５によっても冷感を想起させることができ、着用者に対して冷感をさらに想起させることができる。
【００９４】
想起情報５を構成する色は、着色領域ＣＲが視認される緑色と同じ色であってよい。これにより、想起情報５によって、冷感及び涼感を想起させることができる。
【００９５】
上述の実施の形態では、吸収性物品１は、生理用ナプキンであったが、これに限られない。吸収性物品１は、例えば、テープ型又はパンツ型の使い捨ておむつであってよい。
【００９６】
上述の実施形態において、中央域Ｓ３は、着用者の脚回りに配置される脚回り開口部が設けられた領域であってよい。脚回り開口部は、幅方向の内側に向かうにつれ、吸収性物品の外側縁から幅方向の内側に凹む部分である。或いは、吸収性物品１が、吸収コアを含む場合、中央域Ｓ３は、幅方向の内側に向かうにつれ、吸収コアの外側縁から幅方向の内側に凹む部分が設けられる領域であってよい。或いは、中央域Ｓ３は、周囲の吸収コアよりも厚い領域である中高部が配置されている領域であってよい。
【符号の説明】
【００９７】
１      ：吸収性物品
５      ：想起情報
２０    ：吸収体
３０    ：トップシート
３５    ：セカンドシート
４０    ：バックシート
５０    ：サイドシート
６０    ：圧搾部
６０Ｈ  ：高圧搾部
６０Ｌ  ：低圧搾部
６０Ｎ  ：非圧搾部
６５    ：想起圧搾部
６５Ｈ  ：想起高圧搾部
６５Ｌ  ：想起低圧搾部
７０    ：粘着部
１００  ：冷感層
２００  ：包装体
２５０  ：包装シート
２５５  ：包装想起情報
ＣＲ    ：着色領域
ＦＬ１  ：折り目
ＦＬ２  ：折り目
ＩＲ    ：内側領域
ＯＲ    ：外側領域
Ｓ１    ：前側域
Ｓ２    ：後側域
Ｓ３    ：中央域
１Ｒ    ：第１前後領域
２Ｒ    ：第２前後領域
３Ｒ    ：第３前後領域
ＳＲ    ：周囲領域
Ｔ１    ：肌面側
Ｔ２    ：非肌面側
【図１】
0003218590.tif 000003
【図２】
0003218590.tif 000004
【図３】
0003218590.tif 000005
【図４】
0003218590.tif 000006